(57)【要約】【課題】小型かつ軽量であり、セル生産方式の作業台の支柱や天板にも取り付けられ、しかも、該作業台の支柱や天板などの離れた場所からでもイオン化空気が除電対象物に届く高性能な静電気除去装置を提供すること。【解決手段】送風機ユニット１と、該送風機ユニット１の風上に隣接配置された放電電極ユニット２とを備え、該放電電極ユニット２の放電電極２ｄの先端２ｄ’を前記送風機ユニット１のファンブレード１ｃの空気取り入れ側のエッジ１ｃ’に近接させて配置する。【選択図】図１
2006024528.tif 000002
【特許請求の範囲】
【請求項１】
送風機ユニットと、該送風機ユニットの風上に隣接配置された放電電極ユニットとを備え、該放電電極ユニットの放電電極先端を前記送風機ユニットのファンブレードの空気取り入れ側のエッジに近接させて配置してあることを特徴とする静電気除去装置。
【請求項２】
前記放電電極ユニットは、筒状のケーシングと、該ケーシングの中心部に複数のスパイダー状ステーを介して支持された電極支持部材と、該電極支持部材に放射状に配置された複数の放電電極を備えており、各放電電極は先端が基部よりも前記送風機ユニット側に近接するように筒状ケーシングの中心軸線に対して傾斜して配置されており、各放電電極には電源ユニットから交流高周波高電圧が印可されて各放電電極の先端から正負各々のイオンが高周波数で交互に連続的に生成されることを特徴とする請求項１に記載の静電気除去装置。
【請求項３】
前記送風機ユニットと放電電極ユニットは、中空箱状のハウジング内に収納されており、前記送風機ユニットの空気吹き出し側に対応する前記ハウジングの前面には吹き出し空気を直進案内する整流板を備えた空気出口通路が形成されていることを特徴とする請求項１又は２に記載の静電気除去装置。
【請求項４】
前記ハウジングの外面には、取付用クリップが取付方向及び取付角度調整可能に取り付けられていることを特徴とする請求項３に記載の静電気除去装置。
【請求項５】
前記静電気除去装置は、所定の累積使用時間経過毎に電極掃除の必要性を表示報知する手段を備えていることを特徴とする請求項１〜４の何れかに記載の静電気除去装置。
【発明の詳細な説明】
【技術分野】
【０００１】
本発明は、半導体集積回路や液晶表示板などの電子部品の製造や組み立て段階において発生する静電気を短時間で除去し、さらに長時間にわたって除電性能を維持することを可能にする静電気除去装置に関するものである。
【背景技術】
【０００２】
電子部品の製造や組み立て段階で部品トレイや作業台に静電気が発生すると、静電気放電により電子部品が破壊される恐れがある。そこで、静電気除去装置を用いて除電が必要となる部分にイオン化された空気を流して静電気を中和するようにしている。このような用途の静電気除去装置としては正イオンを発生する放電電極と負イオンを発生する放電電極を等間隔に配置した直流式静電気除去装置が提案されている（例えば、特許文献１参照）。
【特許文献１】米国特許第6,118,645号明細書
【発明の開示】
【発明が解決しようとする課題】
【０００３】
前記特許文献１の装置は、軸流ファンのファンブレードの空気取り入れ側に放電電極ユニットを設けたものであるが、送風機ユニットを空気取り入れ側端部でスパイダー状ステーを介してファンケーシングに支持させている。そのため、放電電極ユニットの電極先端をファンブレードの空気取り入れ側のエッジに近接して配置しようとすると、スパイダー状ステーが障害物となり、上記のような電極先端の配置構成を採用することができない。そのため、放電電極の先端付近は送風機ユニットのファンブレードによる空気の移動速度の最も速い部分（ファンブレードの空気取り入れ側のエッジ部分）から遠く離れた位置に配置せざるを得ない。しかしながら、このような電極先端の配置構造であると、放電電極の先端から生成されたイオンを送風機ユニットの空気取り入れ側から効率よく取り入れて空気吹き出し側から遠方まで搬送させることができない。従って、電子部品のセル生産方式の作業台の支柱や天板などの離れた場所から除電対象物にイオン化空気を効率よく搬送させることができない。
【０００４】
また、前記特許文献１の送風機ユニットは、モータの出力軸の一端（空気吹き出し側の端部）にファンブレードのハブを同軸上に回転するように取り付けた構造のものが図示されており、このファン構造では、モータ本体とファンブレードのハブとが軸線方向に並んで配置されているため、送風機ユニット全体の軸方向寸法が大きくなり、装置の小型化を阻害している。
また、ファン駆動回路の基板類を送風機ユニットに取り付ける場合、回転するファンブレードのハブを避けて静止するモータ本体側に取り付けるのが一般的であり、このようにした場合では、ファン駆動回路の基板類の取り付け位置が送風機ユニット全体に対して放電電極ユニットに近い側に位置しているため、該放電電極の先端から生成された空気イオンがファン駆動回路の基板類に短絡誘引されて該基板類に取り付けられている部品が破壊されたり、空気イオンの減少、消滅が引き起こされ易くなり、これを避けるために、放電電極を前記ファン駆動回路の基板類の配置位置からできるだけ遠ざけて配置せざるを得なくなるもので、この点においても、前記特許文献１の送風機ユニットは、放電電極の先端をファンブレードの空気取り入れ側のエッジに近づけて配置することができない。
【０００５】
また、前記特許文献１の装置は、直流式静電気除去装置であるため、放電電極が劣化したり埃が付着したりすると正負各々のイオンの生成量が変化して空気イオンのバランスが崩れることになる。電子部品によっては数十ボルトという微少な静電気量で破壊することがあるのでこの空気イオンのバランスの崩れた静電気除去装置は逆に帯電装置となって、電子部品を破壊することになる。
また、この種静電気除去装置は、電子部品の製造組み立てラインに設置されることになるので装置が小型であることが望ましい。しかも、一個の製品を一人の作業者が組み付けるセル生産方式では作業台の回りに多くの部品が並ぶので、大型の静電気除去装置を作業台に設置することは困難である。さらに、自動部品実装機械や検査機に取り付けて使う場合であってもこの種静電気除去装置が小型であることが望ましい。
【０００６】
そこで、本発明は上記現状に鑑みて開発されたもので、小型かつ軽量であり、セル生産方式の作業台の支柱や天板にも取り付けられ、しかも、該作業台の支柱や天板などの離れた場所からでもイオン化空気が除電対象物に届く高性能な静電気除去装置を提供することを目的としている。
【課題を解決するための手段】
【０００７】
前記目的を達成するために本発明は、送風機ユニットと、該送風機ユニットの風上に隣接配置された放電電極ユニットとを備え、該放電電極ユニットの放電電極先端を前記送風機ユニットのファンブレードの空気取り入れ側のエッジに近接させて配置してあることを特徴としている。
この構成によれば、送風機ユニットの空気の移動速度の最も速い部分に近接して放電電極の先端を配置しているため、該放電電極先端から生成されるイオンを効率よく取り込んで遠くまで搬送させることができる。
【０００８】
また、前記放電電極ユニットは、筒状のケーシングと、該ケーシングの中心部に複数のスパイダー状ステーを介して支持された電極支持部材と、該電極支持部材に放射状に配置された複数の放電電極を備えており、各放電電極は先端が基部よりも前記送風機ユニット側に近接するように筒状ケーシングの中心軸線に対して傾斜して配置されており、各放電電極には電源ユニットから交流高周波高電圧が印可されて各放電電極の先端から正負各々のイオンが高周波数で交互に連続的に生成されることを特徴としている。
この構成によれば、放電電極ユニットは、筒状のケーシングと、該ケーシングの中心部に複数のスパイダー状ステーを介して支持された電極支持部材と、該電極支持部材に放射状に配置された複数の放電電極を備えているため、送風機ユニットの空気の流れを阻害せずに放電電極ユニットを小型コンパクトに構成することができ、装置の小型化が図れる。また、各放電電極は先端が基部よりも前記送風機ユニット側に近接するように筒状ケーシングの中心軸線に対して傾斜して配置されているため、各放電電極の先端を送風機ユニットのファンブレードの空気取り入れ側のエッジに一層近接して配置することができる。さらに、上記構成によれば、各放電電極に正、負の交流高周波高電圧を交互に印可させてコロナ放電を起こすことによりイオン化空気を生成させるので、放電電極に劣化や汚れが生じても、空気イオンの生成量が減少するだけで、正負イオンのバランスが崩れることは少ない。そのために電子部品の製造組み立てラインに用いて好適である。特に、各放電電極に交流高周波高電圧を印可しているため、正負各々のイオンを高周波数で交互に連続的に生成させることができ、イオン同士の打ち消しロスを殆どなくすことができる。
【０００９】
また、前記送風機ユニットと放電電極ユニットは、中空箱状のハウジング内に収納されており、前記送風機ユニットの空気吹き出し側に対応する前記ハウジングの前面には吹き出し空気を直進案内する整流板を備えた空気出口通路が形成されていることを特徴としている。
この構成によれば、送風機ユニットと放電電極ユニットは、中空箱状のハウジング内に収納されているため、装置の取り扱いが容易となる。また、送風機ユニットの空気吹き出し側の空気をハウジング前面の空気出口通路の整流板によって直進させることができ、これによって正負各々の空気イオンが混じり合うことなく遠くまで搬送させることができるので、作業台の支柱や天板などの離れた場所からでもイオン化空気が除電対象物に届く高性能な静電気除去装置を提供することができる。
【００１０】
また、前記ハウジングの外面には、取付用クリップが取付方向及び取付角度調整可能に取り付けられていることを特徴としている。
この構成によれば、本発明装置を作業台の支柱や天板などに取付用クリップによって所望の向き及び角度に調整して簡単に取り付けることができ、また、クリップを外して機械の一部などに直接固定することも可能である。
また、前記静電気除去装置は、所定の累積使用時間経過毎に電極掃除の必要性を表示報知する手段を備えていることを特徴としている。
【００１１】
この構成によれば、放電電極の掃除の必要性を所定の累積使用時間毎に表示報知することができ、電極先端に付着した埃や炭化物等の汚れを清掃除去することにより、静電気除去性能を回復させることができる。
【発明の効果】
【００１２】
本発明によれば、小型かつ軽量であり、セル生産方式の作業台の支柱や天板にも取り付けられ、しかも、該作業台の支柱や天板などの離れた場所からでもイオン化空気が除電対象物に届く高性能な静電気除去装置を提供することができる。
【発明を実施するための最良の形態】
【００１３】
以下、本発明装置の実施の形態を図面に基づいて説明する。
図１は本発明装置の縦断側面図であって、本発明装置は、図１に示すように、送風機ユニット１と、該送風機ユニット１の風上に隣接配置された放電電極ユニット２とを備え、該放電電極ユニット２の放電電極２ｄの先端２ｄ’を前記送風機ユニット１のファンブレード１ｃの空気取り入れ側のエッジ１ｃ’に近接させて配置してある。
前記送風機ユニット１は、図１及び図２に示すように、筒状のファンケーシング１ａと、該ファンケーシング１ａの中心部に配置されたステーター１ｂと、該ステーター１ｂの径方向外側に回転自在に配置され外周部にファンブレード１ｃを有するロータ１ｄとを備えた軸流ファンモータ１ｅとされている。前記ステーター１ｂは、前記ファンブレード１ｃの空気吹き出し側１ｆで前記ファンケーシング１ａに複数のスパイダー状ステー１ｇを介して片持ち支持されている。より詳細には、円盤状のステーター支持部材１ｈが複数のスパイダー状ステー１ｇを介してファンケーシング１ａの中心部に配置されており、このステーター支持部材１ｈにファン駆動回路の配線基板１ｉを挟んでステーター１ｂの一端（ファンブレード１ｃの空気吹き出し側の端部）が固着されている。上記ステーター１ｂの外周面には、コイル１ｊが装着され、該コイル１ｊに対応してマグネット１ｋがロータ１ｄの内周面に装着されている。上記コイル１ｊには、電源ユニット３により商用電源が低電圧の直流電圧に変換されて上記配線基板１ｉを通して供給され、上記マグネット１ｋを介してロータ１ｄに回転力を付与するものである。ロータ１ｄは、軸方向の一端（ファンブレード１ｃの空気吹き出し側の端部）が開放し、他端が底壁で閉じた円筒カップ形状とされている。ロータ１ｄの中心部にはファンシャフト１ｍの一端が固着されている。このファンシャフト１ｍは、ステーター１ｂ、配線基板１ｉ及びステーター支持部材１ｈの中心部を貫通し、ステーター１ｂの他端（ファンブレード１ｃの空気取り入れ側の端部）の中心部とステーター支持部材１ｈの中心部とに軸受１ｎ、１ｏを介して回転自在に支持されている。軸受１ｏは、ラジアル荷重とスラスト荷重の両方を担持するタイプのものが使用される。ステーター支持部材１ｈの外径及びファン駆動回路の配線基板１ｉの外径は、ロータ１ｄの外径と略同径とされている。前記ファンケーシング１ａ、ステーター１ｂ、ファンブレード１ｃ、ロータ１ｄ、スパイダー状ステー１ｇ、ステーター支持部材１ｈ、配線基板１ｉ、ファンシャフト１ｍは、電気絶縁性物質、例えば、電気絶縁性樹脂で構成されている。
【００１４】
前記放電電極ユニット２は、筒状のケーシング２ａと、該ケーシング２ａに複数のスパイダー状ステー２ｂを介して支持された電極支持部材２ｃと、該電極支持部材２ｃに取付金具２ｅを介して放射状に配置された複数の放電電極２ｄを備えており、各放電電極２ｄの先端２ｄ’は先鋭化された針状に加工されており、各放電電極２ｄは先端２ｄ’が基部よりも前記送風機ユニット１側に近接するように筒状ケーシング２ａの中心軸線に対して傾斜して配置されている。そして、各放電電極２ｄには電源ユニット３から交流高周波高電圧が印可され、各放電電極２ｄの先端から正負各々のイオンが高周波数で交互に連続的に生成される。前記ケーシング２ａ、スパイダー状ステー２ｂ、電極支持部材２ｃは、電気絶縁性物質、例えば、電気絶縁性樹脂で構成されている。放電電極２ｄの設置数は３本の場合を例示しているが、これに限定するものではなく実験などによって正負各々のイオンが混じり合わない適当な本数を設定すればよい。
【００１５】
前記送風機ユニット１と放電電極ユニット２は、中空箱状のハウジング４内に収納されており、前記送風機ユニット１の空気吹き出し側１ｆに対応する前記ハウジング４の前面には、図１及び図３に示すように、吹き出し空気を直進案内する整流板４ａを備えた空気出口通路４ｂが形成されている。上記整流板４ａは十字状とされ、送風機ユニット１の軸線と平行方向に延長して形成されている。上記ハウジング４の後面には、図１に示すように、複数のスパイダー状ステー４ｃを備えた空気入口通路４ｄが形成されている。この空気入口通路４ｄには、空気を濾過するフィルタ４ｅが装着されている。上記ハウジング４は、前後方向に２分割して構成され、複数箇所でボルトナット等の締結部材により一体に結合されている。このハウジング４は、電気絶縁性物質、例えば、電気絶縁性樹脂で構成されている。
【００１６】
前記ハウジング４の外面には、図４の（Ｂ）に示すように、取付用クリップ５が取付方向及び取付角度調整可能に取り付けられている。この取付角度調整機構は、本実施形態においては、図５にも示すように、ハウジング４の底面中央部に第１部材６がねじ７ａとナット７ｂで固着され、この第１部材６に第２部材８が締め付けねじ９を介して水平軸回りで任意の角度に調整可能に支持され、この第２部材８に取付用クリップ５の一方のレバー５ａが締め付けねじ１０ａとナット１０ｂを介して垂直軸回りで任意の方向に調整可能に支持されている。上記第１部材６及び第２部材８は、何れもコ字形の部材の開口端同士を対向状に組み合わせて締め付けねじ９により水平軸回りで回動・固定可能に接合しているが、この形状に制約されるものではない。
【００１７】
前記ハウジング４の内面上部には、主配線基板１１が配置されている。この主配線基板１１上には、図３及び図４の（Ｄ）に示すように、自動・手動の運転モード切替スイッチ１２、風量ボリューム１３、電源ＯＮ／ＯＦＦスイッチ１４、電源ランプ１５、高圧警告ランプ１６、ファン警告ランプ１７がハウジング４の分割面に沿って配置され、該ハウジング４に形成された窓孔より露出せしめられている。
上記自動・手動の運転モード切替スイッチ１２は、自動モード（始動時ＯＮの状態）では自動機への取り付けなどで外部からＯＮ／ＯＦＦを制御する場合に用いられる。この自動運転中、電源ＯＮ／ＯＦＦスイッチ１４を１回押すと電源の供給が止まり、運転が一時停止する。手動モードでは、上記スイッチ１２をＯＮ／ＯＦＦさせて始動・停止させる場合に用いる。また、風量ボリュウーム１３は、送風機ユニット１の風量を無段階に調整するための調整器である。さらに、高圧警告ランプ１６は、高圧回路に異常が発生すると点灯（赤色）し、また、ファン警告ランプ１７は、ファン駆動回路に異常が発生すると点灯（赤色）し、これらのランプ表示と警報の出力が可能な端子を有する安全回路に接続されている。また、電源ランプ１５は、自動モードで運転中と手動モードで電源ＯＮ／ＯＦＦスイッチ１４がＯＮとされて電源が供給されているとき点灯（緑色）するものである。なお、本実施形態においては、マイコン制御回路によってタイマー機能を設けて所定の使用時間（例えば、１００時間）が累積経過した際に上記電源ランプ１５を点滅させて電極掃除の必要性を表示報知するようにしている。しかし、上記電源ランプ１５とは別に、所定の累積使用時間経過毎に電極掃除の必要性を表示報知する手段（ランプやブザー等）を設けてもよい。
【００１８】
前記ハウジング４の内面下部には、電源ユニット３が設置されている。この電源ユニット３は、商用電源を変換器により低電圧の直流電圧（例えば、ＤＣ２４Ｖ）に変換し、この直流電圧を発振回路により交流高周波に変換すると共に、高周波圧電トランスにより高電圧に昇圧してから高圧配線１８（図１参照）を介して各放電電極２ｄに供給するように構成されている。
ハウジング４の後面には、図４の（Ｃ）に示すように、電源へ接続するためにコネクタ１９が設置されており、また、アース線２０が接続可能とされている。
【００１９】
本発明装置の実施形態は、以上の構成からなり、次に、使用方法及び動作を説明する。
例えば、電子部品の作業台や天板等に取付用クリップ５を介して本発明装置を取り付ける。運転モード切替スイッチ１２を自動運転に切り替えた場合は、コネクタ１９に電源アダプタまたは付属ケーブルで電源を接続すると、電源が入力され、電源ランプ１５が点灯し、運転が開始される。これにより、送風機ユニット１のロータ１ｄが回転し、放電電極ユニット２の各放電電極２ｄの先端２ｄ’からイオンが生成される。
送風機ユニット１は、ロータ１ｄが回転すると、ハウジング４の後面の空気入口通路４ｄから外気をフィルタ４ｅを通して濾過して吸入し、放電電極ユニット２の筒状ケーシング２ａ内を通してハウジング４の前面の空気出口通路４ｂより放出される。該空気出口通路４ｂには整流板４ａが設けてあるため、放出される空気は直進性を付与されて遠くまで飛ばされる。
【００２０】
本発明装置におけるイオンの発生方法はコロナ放電式で、針状に加工された各放電電極２ｄの先端２ｄ’に高電圧を印可して該電極先端２ｄ’での電界集中により空気を絶縁破壊して空気イオンを生成している。本実施形態においては、±３ｋＶ、７０ｋＨｚの交流高周波高電圧が各放電電極２ｄに供給される。この交流電界の切り替わりにより正負両方のイオンを交互に発生させている。このイオンが除電対象物に向けて送風機ユニット１により搬送され、除電対象物の静電気とぶつかり、中和・消滅させる。この時、イオンは磁石のように同極性では反発し異極性では引きつけ合うので、自動的に反発・中和を繰り返しながら静電気を除去していく。なお、余ったイオンは空気中でお互いに結合し中和されて消滅する。また、正負各イオンを高周波数で交互に連続的に発生させているため、イオン同士の打ち消しロスが少なくでき、イオンバランスが良好となり、逆帯電も回避することができる。
【００２１】
上記において本発明装置の実施形態は、各放電電極２ｄの先端２ｄ’を送風機ユニット１のファンブレード１ｃの空気取り入れ側のエッジ１ｃ’に近接して配置してあるため、各放電電極２ｄの先端２ｄ’から放出されたイオンを空気の移動速度の最も速い部分から効率よく取り入れていることになり、これによって、各放電電極２ｄの先端２ｄ’で発生したイオンを効率よく取り入れることができ、しかも、送風機ユニット１で空気搬送させる際、ハウジング４の前面の空気出口通路４ｂから整流板４ａで直進性を付与して遠くまで搬送させることができる。
【００２２】
ところで、空気を効率よくイオン化することやイオン化空気を目的とする除電対象物へより速く移動させるには、放電電極２ｄの配置は大変重要である。また、空気の流れを発生させイオン化空気を除電対象物に搬送させる送風機ユニット１には、従来、各種のファンモータやブロワが使用されているが、小型かつ軽量の効果を得るためには本実施形態で示す軸流ファンモータ１ｅが有効である。軸流ファンモータ１ｅは図１に示すように、回転中心から一定の半径の位置に配置された多数枚の翼つまりファンブレード１ｃを有するファンロータ１ｄからなり、このファンロータ１ｄはファンケーシング１ａ内で回転自在となっている。ファンケーシング１ａにはファンロータ１ｄに対して軸方向に空気が案内され、ファンロータ１ｄの回転によってファンブレード１ｃに沿って円環状に吐出される。ファンブレード１ｃの空気吹き出し側の回転中心部に、ファン駆動回路の配線基板１ｉが配置されている。したがって、ファンブレード１ｃは必然的にファンケーシング１ａの空気取り入れ側へ少し移動した位置に配置され、放電電極２ｄの先端２ｄ’に一層近接されている。
【００２３】
また、軸流ファンモータ１ｅの空気吹き出し側は空気の移動速度が遅くなり、空気の流れが乱れやすい環境であり、ここに放電電極２ｄを配置すると正負各々のイオンが混じり合い、中和されることで、イオンの生成量が著しく減少する。このようなことから、軸流ファンモータ１ｅの空気の取り入れ側に放電電極２ｄをファンブレード１ｃのエッジぎりぎりに近づけて配置することは、最も速い移動速度で効率よく空気イオンを取り込むことができるだけでなく、放電電極２ｄの配置スペースが節約でき、静電気除去装置を小型化することができる。
【００２４】
さらに、本発明では、空気吹き出し側のハウジング４内側に十字型の整流板４ａを突設形成しており、空気の乱れを抑制している。前述のように、軸流ファンモータ１ｅの吹き出し側は空気の流れが乱れやすいので、整流板４ａに一旦当てることで流路をつくり、さらに、空気吹き出し側のハウジング４から直線的に空気イオンを吐出させる。これにより正負各々の空気イオンが混じり合うことなく遠くまで搬送させることができるので、作業台の支柱や天板などの離れた場所からでもイオン化空気が除電対象物に届く、高性能な静電気除去装置を提供することができる。
【００２５】
なお、放電電極２ｄの先端２ｄ’が汚れるとイオンの生成量が減少するので、定期的な掃除が必要である。放電電極２ｄの先端２ｄ’に付着した埃や炭化物を除去すると静電気除去性能が回復する。そこで、本実施形態においては、マイコン制御回路によってタイマー機能を設けて所定の使用時間（例えば、１００時間）が累積経過した際に電源ランプ１５を点滅させて電極掃除の必要性を表示報知するようにしている。この場合、放電電極２ｄをファンロータ１ｄから離れた位置に配置した場合、ハウジング４の前面側から電極掃除用の綿棒などが挿入しづらくなり、掃除の簡便性が失われることになるが、前記のように放電電極２ｄの先端２ｄ’をファンロータ１ｄのファンブレード１ｃのエッジ１ｃ’に近接配置した構成とすることにより、電極掃除が容易となる。
【００２６】
上記動作説明は、自動モードの場合であるが、手動モードの場合においても、ほぼ同様である。
上記本発明の実施形態において、送風機ユニット１のモータ本体を構成するロータ１ｄをファンブレード１ｃのハブとしているため、送風機ユニット１の軸方向寸法を短縮することができ、装置の小型化が図れる。また、ステーター１ｂをファンブレード１ｃの空気吹き出し側でファンケーシング１ａに複数のスパイダー状ステー１ｇを介して片持ち支持したことにより、ファンブレード１ｃの空気取り入れ側から障害物を排除してロータ１ｄのファンブレード１ｃを放電電極ユニット２側に近接して配置することができるため、放電電極先端２ｄ’から生成されるイオンを一層効率よく取り込んで遠くまで搬送させることができる。また、ファン駆動回路の配線基板１ｉを放電電極２ｄの設置側と反対側に配置しているため、放電電極２ｄから出るイオンによって前記配線基板１ｉの部品が破壊されることを防止することができ、これによって、放電電極２ｄの先端２ｄ’をファンブレード１ｃの空気取り入れ側のエッジ１ｃ’に近接配置することができ、送風機ユニット１と放電電極ユニット２を相互に接近して配置して装置の一層の小型化が可能となる。
【００２７】
本発明装置の実施形態は以上であるが、本発明はこの実施形態にのみ制約されるものではなく、特許請求の範囲に記載された意味と範囲内において適宜変更して実施してもよい。
【図面の簡単な説明】
【００２８】
【図１】本発明装置の実施形態を示す縦断側面図である。
【図２】図１の送風機ユニット部分の拡大縦断側面図である。
【図３】本発明装置の外観斜視図である。
【図４】（Ａ）は本発明装置の正面図、（Ｂ）は側面図、（Ｃ）は背面図、（Ｄ）は平面図、（Ｅ）は底面図である。
【図５】取付用クリップの調整手段の分解斜視図である。
【符号の説明】
【００２９】
１    送風機ユニット
１ａ  ファンケーシング
１ｂ  ステーター
１ｃ  ファンブレード
１ｄ  ロータ
１ｅ  軸流ファンモータ
１ｆ  空気吹き出し側
１ｇ  スパイダー状ステー
１ｈ  ステーター支持部材
１ｉ  ファン駆動回路の配線基板
１ｊ  コイル
１ｋ  マグネット
１ｍ  ファンシャフト
１ｎ、１ｏ  軸受
２    放電電極ユニット
２ａ  筒状ケーシング
２ｂ  スパイダー状ステー
２ｃ  電極支持部材
２ｄ  放電電極
２ｅ  取付金具
３    電源ユニット
４    ハウジング
４ａ  整流板
４ｂ  空気出口通路
４ｃ  スパイダー状ステー
４ｄ  空気入口通路
４ｅ  フィルタ
５    取付用クリップ
１１  主配線基板
１２  自動・手動の運転モード切替スイッチ
１３  風量ボリューム
１４  電源ＯＮ／ＯＦＦスイッチ
１５  電源ランプ
１６  高圧警告ランプ
１７  ファン警告ランプ
１８  高圧配線
１９  コネクタ
２０  アース線
【図１】
2006024528.tif 000003
【図２】
2006024528.tif 000004
【図３】
2006024528.tif 000005
【図４】
2006024528.tif 000006
【図５】
2006024528.tif 000007